(57)【要約】【課題】ロックナット付オスコネクタをポート部に挿入して接続する際に、ロックナットを完全に押し込んで、接続をより強固なものとする支障とならないキャップを実現できるようにする。【解決手段】ロックナットを有するオスコネクタが挿入され、内部に弾性弁体１１３を有し、外周面にロックナットと対応するねじ山１１７を有する、コネクタのポート部１１１をカバーするキャップ１０３は、ポート部１１１に着脱自在に外嵌する筒状のキャップ本体１３１と、コネクタ１０１におけるポート部１１１と交差する方向に延びる環状部１１５に接続された接続部１３７と、キャップ本体１３１と接続部１３７とを連結する連結部１３５とを備えている。【選択図】図２
2017209208.tif 000002
【特許請求の範囲】
【請求項１】
ロックナットを有するオスコネクタが挿入され、内部に弾性弁体を有し、外周面に前記ロックナットと対応するねじ山を有する、コネクタのポート部をカバーするキャップであって、
前記ポート部に着脱自在に外嵌する筒状のキャップ本体と、
前記コネクタにおける前記ポート部と交差する方向に延びる管状部に接続された接続部と、
前記キャップ本体と前記接続部とを連結する連結部とを備えている、キャップ。
【請求項２】
前記キャップ本体は外方向に突出する鍔状部を有する、請求項１に記載のキャップ。
【請求項３】
前記鍔状部は、前記連結部と交差する方向において、前記連結部に沿った方向よりも大きく突出している、請求項２に記載のキャップ。
【請求項４】
前記弾性弁体は、前記ポート部の上端から露出しない位置に設けられている、請求項１〜３のいずれか１項に記載のキャップ。
【請求項５】
前記弾性弁体は、前記ポート部の下端部に設けられている、請求項１〜４のいずれか１項に記載のキャップ。
【請求項６】
前記キャップ本体は、前記ポート部に外嵌した際に、前記ポート部の下端まで覆う、請求項１〜５のいずれか１項に記載のキャップ。
【発明の詳細な説明】
【技術分野】
【０００１】
本開示はキャップに関し、特にニードルレスポートを保護するキャップに関する。
【背景技術】
【０００２】
血液回路及び輸液回路等の医療用の流路には、薬剤の注入等を行うためのポートが設けられる場合がある。このようなポートとして、最近ではニードルレスコネクタが用いられている。
【０００３】
一般的なニードルレスコネクタは、血液等が流れる流路と交差する方向に、オスルアコネクタ等を挿入するためのポート部が設けられている。ポート部は、スリットが設けられた弾性弁体を有しており、弾性弁体にコネクタを挿入することにより弾性弁体が開き、コネクタを引き抜くことにより弾性弁体が再び閉じる。このため、流路の切り換え操作等をすることなく、流路に薬液等の注入ができる。
【０００４】
しかし、ニードルレスコネクタは、オスコネクタ等が挿入されるポート部が外部に露出していると、その表面にほこりや細菌等が付着するおそれがある。このため、ポート部を十分に清拭してから操作することが行われている。特に、側路の端面ではなく、窪んだ位置に弾性弁体が設けられている場合には、ポート部にほこり等が溜まりやすくなる上、清拭が困難になる。
【０００５】
このため、ポート部を覆うキャップを設けることが検討されている（例えば、特許文献１を参照。）。
【先行技術文献】
【特許文献】
【０００６】
【特許文献１】実用新案登録３１０８０６１号公報
【発明の概要】
【発明が解決しようとする課題】
【０００７】
しかしながら、従来のキャップには種々の問題がある。キャップは、取り外した際の取り扱いを容易にするために、コネクタの本体部分と接続される。特許文献１のニードルレスコネクタにおいて、キャップは、連結部を介してキャップの本体と接続されたリング状の接続部により、ポート部と接続されている。このため、ポート部に接続部を取り付けるスペースが必要となり、ポート部の高さが高くなっている。ポート部の高さが高いため、挿入されたオスコネクタ自体によって弾性弁体を押し拡げて開通させることができず、挿入されたオスコネクタにより押し子を押し下げ、バネによって押し子が元に戻るという複雑な構成とする必要がある。さらに、ポート部と接続された接続部が邪魔になり、挿入されたオスコネクタ等のロックナットを完全に押し込むことが困難であり、接続が不完全になるおそれもある。
【０００８】
本開示の課題は、ロックナット付オスコネクタをポート部に挿入して接続する際に、ロックナットを完全に押し込み、接続をより強固にする支障とならないキャップを実現できるようにすることである。
【課題を解決するための手段】
【０００９】
本開示のキャップの一態様は、ロックナットを有するオスコネクタが挿入され、内部に弾性弁体を有し、外周面にロックナットと対応するねじ山を有する、コネクタのポート部をカバーするキャップを対象とし、ポート部に着脱自在に外嵌する筒状のキャップ本体と、コネクタにおけるポート部と交差する方向に延びる環状部に接続された接続部と、キャップ本体と接続部とを連結する連結部とを備えている。
【００１０】
本開示のキャップの一態様によれば、接続部が、ポート部ではなく管状部と接続されている。このため、ポート部と、ポート部に挿入されるロックナット付オスコネクタとの接続の支障とならず、接続がより確実になり且つ構造が簡単となる。
【００１１】
キャップの一態様において、鍔状部は、ループと交差する方向において、ループに沿った方向よりも大きく突出しているようにできる。このような構成とすることにより、操作者がキャップ本体の１箇所を斜めに引っ張るのではなく、２箇所を上方向に引っ張るように誘導することができ、キャップ着脱の操作性が向上する。
【００１２】
キャップの一態様において、弾性弁対は、ポート部はポート部の上端から露出しない位置に設けられていてもよい。このような構成にすることにより、弾性弁体を清潔に保ちやすくなる。
【００１３】
キャップの一態様において、弾性弁体は、ポート部の下端部に設けられているようにできる。このような構成とすることにより、弾性弁体の保持が容易となると共に、デッドボリュームを小さくすることができる。
【００１４】
キャップの一態様において、キャップ本体は、ポート部に外嵌した際に、ポート部の下端まで覆うようにできる。このような構成とすることにより、ポート部をほこり等から的確に保護することができる。
【発明の効果】
【００１５】
本開示のキャップによれば、構造が簡単で且つロックナット付オスコネクタをポート部に挿入して接続する際に、ロックナットを完全に押し込んで、接続をより強固なものとする支障とならないようにできる。
【図面の簡単な説明】
【００１６】
【図１】本実施形態のキャップをコネクタに装着した状態を示す斜視図である。
【図２】本実施形態のキャップをコネクタに装着した状態を示す断面図である。
【図３】オスコネクタをポートに挿入した状態を示す断面図である。
【図４】本実施形態のキャップを示す側面図である。
【図５】本実施形態のキャップを示す底面図である。
【発明を実施するための形態】
【００１７】
図１及び図２に示すように、本実施形態のキャップ１０３は、コネクタのポート部１１１をカバーするキャップである。コネクタは、オスコネクタが挿入されるポート部１１１を有するコネクタ本体１０１と、ポート部１１１と交差する方向に延びる管状部１１５と、ポート部１１１を有している。ポート部１１１は、ポート部１１１の上端から露出しない位置に設けられ、挿入されたオスコネクタ２０１の先端部により開通する内部に弾性弁体１１３を有し、その外周面にはロックナットのメスねじに対応するねじ山１１７が設けられている。キャップ１０３は、ポート部１１１に着脱自在に外嵌する筒状のキャップ本体１３１と、管状部１１５と接続された接続部１３７と、キャップ本体１３１と接続部１３７とを接続する連結部１３５とを備えている。
【００１８】
本実施形態において、キャップ１０３の接続部１３７は管状部１１５と接続されている。このため、キャップ１０３の接続部１３７がポート部１１１と接続されている場合と比べて、ポート部１１１の高さを低くすることができる。このため、ポート部１１１に設けられた挿入口１１１ａに標準的なオスコネクタ２０１を挿入すると、図３に示すように、オスコネクタ２０１の先端部がポート部１１１の下端部に設けられた弾性弁体１１３を押し拡げて開通させることができる。ポート部１１１の高さを変えずに、ポート部１１１側に接続部１３７を接続した場合、オスコネクタ２０１に設けられ、メスねじ部が設けられたロックナット２１２と接続部１３７とが干渉し、ロックナット２１２を完全に押し込むことができず、ロックすることができない事態が生じうる。ロックナット２１２と接続部１３７とが干渉しないように、ポート部１１１の高さを高くすると、国際規格からはずれた長いオスコネクタを用いたり、オスコネクタにより押されて弾性弁体１１３を開通させる押し子となる部材をポート部の内部に設けたりすることが必要となる。
【００１９】
弾性弁体１１３が、ポート部１１１の下端部よりも開口端に近い側に設けられている場合、ポート部１１１の高さを高くしても、標準的なオスコネクタ２０１により弾性弁体１１３を押し拡げられる可能性がある。しかし、この場合、デッドボリュームが大きくなり、血液の滞留が起きるという問題が生じうる。また、ポート部１１１の下端部よりも開口端に近い側に設けられていることにより、弾性弁体１１３を組み付けることが難しくなる、という問題も生じうる。一方、ポート部１１１の高さが低い場合には、オスコネクタ２０１の先端部がポート部１１１の下端部に達するため、弾性弁体１１３がポート部１１１の下端部よりも開口端に近い側に設けなくてもよく、弾性弁体１１３を組み付けることが難しくなるという問題が生じにくい。なお、弾性弁体１１３の組み付けやすさの点から、弾性弁体１１３は、ポート部の下端部に組み付けることが好ましい。
【００２０】
ポート部１１１の高さの上限は、標準的なオスコネクタ２０１の先端部が、ポート部１１１の下端部に達することができる高さとし、下限は、標準的なオスコネクタ２０１のロックナットがロックできる高さとすることができる。
【００２１】
本実施形態において、図４及び図５に示すように、キャップ１０３の連結部１３５は、一端がキャップ本体１３１と接続されており、他端は環状の接続部１３７と接続されている。環状の接続部１３７は、管状部１１５にはめ込まれている。このような構成とすれば、接続部１３７を管状部１１５と確実に接続できる。但し、接続部１３７と管状部１１５とを接続する方法はどのようなものであってもよい。例えば、接続部１３７を環状とするのではなく、切れ込みを有するＣ字状とすることもできる。このようにすれば、血液回路等にコネクタを接続した後でキャップを取り付けることが可能となる。
【００２２】
連結部１３５は、キャップ本体１３１のどこに接続されていてもよいが、キャップ本体１３１の上端部に接続されている方が、キャップ本体１３１の動きが制限されにくく好ましい。また、キャップ本体１３１と連結部１３５とを一体に形成する際に、形成が容易となる。
【００２３】
連結部１３５は、キャップ本体１３１と接続部１３７とを接続できれば、どのような構成であってもよいが、操作性の観点からは、ある程度の復元性を有し、キャップ本体１３１をポート部１１１から取り外した際に自立させられることが好ましい。図４及び図５においては、連結部１３５に肉厚の部分と肉薄の部分とを設け、連結部１３５を曲がりやすくすると共に、連結部１３５の復元性を向上させた例を示している。
【００２４】
キャップ本体１３１は、筒状でありポート部１１１に外嵌する。本実施形態においては、図４に示すように、キャップ本体１３１の内面にリブ１３９を設けている。リブ１３９を設けることにより、キャップ本体１３１とポート部１１１との接触面積を制御することができ、キャップ本体１３１とポート部１１１との嵌合強度を調整することが容易となる。図４において、キャップ本体１３１の内部に８つのリブ１３９が設けられている例を示したが、リブ１３９の数は限定されない。また、リブ１３９を設けず、キャップ本体１３１の内面を平滑にすることもできる。
【００２５】
キャップ本体１３１の深さは、ポート部１１１と嵌合し、不用意に外れない深さであればよいが、衛生面の観点からは、ポート部１１１とほぼ同じ高さとし、下端部が台座部１１９と接し、ポート部１１１の全体を覆うようにすることが好ましい。
【００２６】
キャップ本体１３１には、外方向に突出する鍔状部１３３が設けられている。図４に示すように、鍔状部１３３は、連結部１３５に沿った方向よりも連結部１３５と交差する両方向に大きく拡がっているようにすることが好ましい。連結部１３５に沿った方向だけに大きく突出した鍔状部が設けられている場合、操作者は連結部１３５と反対側の部分の１箇所を斜め上方向に引っ張るように誘導されやすい。キャップ本体１３１の１箇所を斜め上方向に引っ張った場合には、キャップ本体１３１が斜めになりポート部１１１と干渉し、取り外しが困難になる。しかし、鍔状部１３３が、連結部１３５と交差する両方向に、連結部１３５に沿った方向よりも大きく拡がっているようにすれば、鍔状部１３３の２箇所を操作者が上方向に引っ張るように誘導することができる。このため、キャップ１０３を取り外す操作がスムーズに行われるようにできる。
【００２７】
図４及び図５において、連結部１３５に沿った方向に鍔状部１３３が拡がっていない構成を示したが、連結部１３５に沿った方向よりも連結部１３５と交差する両方向に大きく拡がっているようにすれば、２箇所を引っ張るように誘導する効果が得られる。但し、鍔状部１３３がキャップ本体１３１の全周に拡がっている構成や、鍔状部１３３が設けられていない構成であっても、ポート部１１１を衛生的に保つという機能を果たすことができる。
【００２８】
図４及び図５において、鍔状部１３３は、キャップ本体１３１の上端部に設けられている。上端部に設けられていた方が、成形が容易となり、操作も容易となる。但し、鍔状部１３３を設ける位置は限定されない。
【００２９】
本実施形態において、ポート部１１１の外面には、オスコネクタ２０１のロックナット２１２と係合するねじ山１１７が設けられている。但し、ねじ山１１７が設けられていないポート部１１１とすることもできる。コネクタ本体１０１と交差する方向に延びる管状部１１５には、血液回路等のプラスチックチューブを接続することができる。管状部１１５とプラスチックチューブとを直接接続するのではなく、コネクタを介して接続する構成とすることもできる。本実施形態においては、ポート部１１１とコネクタ本体１０１との接続部には、弾性弁体１１３を設けることができるように円盤状の台座部１１９が設けられている。但し、弾性弁体１１３の配置によっては、台座部１１９が設けられていない構成とすることもできる。本実施形態において、コネクタ本体１０１のポート部１１１と反対側には、コネクタを自立させるための脚部１２１が設けられている。但し、脚部１２１は設けられていなくてもよい。
【００３０】
コネクタのハウジングは、樹脂により形成することができる。強度の観点からは、ポリプロピレン、ポリエチレン、ポリカーボネート、ポリスチレン、又はポリアセタール等が好ましい。弾性弁体１１３は、スリットを有する弾性体とすることができる。例えば、イソプレンゴム若しくはシリコーンゴム等の合成ゴム、天然ゴム、又は熱可塑性エラストマ等を用いることができる。本実施形態において、平板状の弾性弁体１１３を用いる例を示したが、立体的な形状とすることもできる。
【００３１】
キャップ１０３は、樹脂等の材料により形成することができる。ゴム又はエラストマ等の弾力性が高い材料により形成することもできるが、操作性の観点からは、ある程度の剛性を有するポリエチレン又はポリプロピレン等の樹脂が好ましい。
【産業上の利用可能性】
【００３２】
本開示のキャップは、構造が簡単で且つロックナット付オスコネクタをポート部に挿入して接続する際に、ロックナットを完全に押し込んで、接続をより強固なものとする支障とならず、医療用コネクタのキャップ等として有用である。
【符号の説明】
【００３３】
１０１      コネクタ本体
１０３      キャップ
１１１      ポート部
１１１ａ    挿入口
１１３      弾性弁体
１１５      管状部
１１７      ねじ山
１１９      台座部
１２１      脚部
１３１      キャップ本体
１３３      鍔状部
１３５      連結部
１３７      接続部
１３９      リブ
２０１      オスコネクタ
２１２      ロックナット
【図１】
2017209208.tif 000003
【図２】
2017209208.tif 000004
【図３】
2017209208.tif 000005
【図４】
2017209208.tif 000006
【図５】
2017209208.tif 000007